(57)【特許請求の範囲】
【請求項１】
携帯型火災現場用環境測定装置であって、固定板を含み、
前記固定板の中には展開装置が設置され、前記展開装置を展開することで前記携帯型火災現場用環境測定装置を人の頭部につけられ、前記展開装置を収縮することで携帯に便利を与え、
前記固定板の中には貫通穴が上下貫通するように設置され、前記貫通穴の中には測定箱が摺動可能に設置され、前記測定箱の中には冷却装置が設置され、前記冷却装置は頭部に当接して頭部に冷却を行うことができ、
前記測定箱の中には下方に開口する開口溝が左右対称に形成され、両側の前記開口溝の開口は対称中心に背向き、前記開口溝の前後内壁の間には連結軸が回転可能に連結され、前記連結軸の周面には固定棒が固定的に連結され、前記固定板の中には対称中心に背向いて開口する引掛溝が左右対称に形成され、前記固定棒は前記引掛溝に伸びて前記測定箱を引っ掛かることができ、前記測定箱と前記固定板との間には圧縮ばねが固定的に連結され、
前記測定箱の中には左方に開口する通気穴が設置され、前記通気穴の中には風向測定装置と空気測定装置とが設置され、前記風向測定装置は風向を測定しかつ指示灯を通じて方向指示を行うことができ、前記空気測定装置は空気中の煙濃度を測定でき、
前記測定箱の上端には仕切板が前後対称に、且つ固定的に連結され、前記仕切板の中には対称中心に向いて開口する凹溝が形成され、前記凹溝の開口は上方に向き、前記凹溝の左右内壁の間には固定軸が回転可能に連結され、前記固定軸の周面には回転板が固定的に連結され、前記回転板において対称中心に近接する端面の中には磁石が固定的に設置されていることを特徴とする携帯型火災現場用環境測定装置。
【請求項２】
前記展開装置は四つのラックを含み、四つの前記ラックは前記測定箱の周面の中に環状になるように配列され、前記貫通穴の円周内壁の中には環状になるように配列された四つのベルト空間が連通するように設置され、前記ベルト空間の中には噛合歯車が回転可能に設置され、四つの前記噛合歯車はそれぞれ四つの前記ラックに噛み合い、
前記噛合歯車の中には駆動軸が固定的に連結され、前記駆動軸の周面には駆動プーリが固定的に連結され、前記駆動プーリにおいて対称中心から離れた側には伝動プーリが回転可能に設置され、前記伝動プーリと前記駆動プーリとの間には水平ベルトが連結され、前記伝動プーリの中には中間回転軸が固定的に連結され、前記中間回転軸は前記ベルト空間の内壁の間に回転可能に連結され、前記ベルト空間の下側内壁の中には下方に開口する弧状溝が連通するように形成され、前記弧状溝の中には従動プーリが回転可能に設置され、前記従動プーリと前記伝動プーリとの間には縦ベルトが連結され、前記従動プーリの中には従動軸が固定的に連結され、
前記従動軸の周面には揺動棒が固定的に連結され、前記揺動棒の右端と前記測定箱の下端との間には弾性布が連結されていることを特徴とする請求項１に記載の携帯型火災現場用環境測定装置。
【請求項３】
前記冷却装置は前記測定箱の中に固定的に設置された揚水ポンプを含み、前記揚水ポンプの左右両端には水管が対称的に、かつ固定的に連結され、前記水管の中には水管通路が上下貫通するように設置され、前記水管通路は前記揚水ポンプに連通するように設置され、
前記測定箱の中には下方に開口する摺動空間が設置され、前記摺動空間の中には伝熱板が摺動可能に設置され、前記伝熱板の中には上方に開口する循環通路が設置され、左右両側の前記水管の下端は前記摺動空間の中に延在し、かつ前記伝熱板に固定的に連結され、前記水管通路は前記循環通路に連通するように設置されていることを特徴とする請求項１に記載の携帯型火災現場用環境測定装置。
【請求項４】
前記水管の周面には凝縮管が固定的に連結され、前記揚水ポンプの上側には蓄電池が固定的に設置されていることを特徴とする請求項３に記載の携帯型火災現場用環境測定装置。
【請求項５】
前記風向測定装置は前記通気穴の下側内壁に固定的に設置された保護ブロックを含み、前記保護ブロックの中には下方に開口する歯車空間が設置され、前記歯車空間の中には駆動歯車が回転可能に設置され、前記駆動歯車の中には水平軸が固定的に設置され、前記水平軸の後端は前記通気穴の中に延在し、かつファンと固定的に連結され、
前記駆動歯車の下端には従動歯車が噛み合うように連結され、前記従動歯車の下端には縦軸が固定的に連結され、前記通気穴の下側内壁の中には噛合空間が設置され、前記縦軸の下端は前記噛合空間の中に延在し、かつラチェットと固定的に連結され、前記ラチェットの左端には三つの片方向輪が噛み合うように連結され、前記片方向輪の中には片方向軸が固定的に連結され、前記片方向軸は前記噛合空間の上下内壁の間に回転可能に連結されていることを特徴とする請求項１に記載の携帯型火災現場用環境測定装置。
【請求項６】
前記片方向軸の周面には固定ブロックが左右対称に、かつ固定的に連結され、前記噛合空間の左側内壁には三つの速度測定センサが固定的に連結され、前記測定箱の左端には三つの指示灯が固定的に連結され、前記指示灯はそれぞれ前記速度測定センサに通電可能に連結されていることを特徴とする請求項５に記載の携帯型火災現場用環境測定装置。
【請求項７】
前記空気測定装置は前記通気穴の内壁の間に固定的に連結された濾過網を含み、前記通気穴の下側内壁の中には伝動空間が設置され、前記伝動空間の中にはセクタ歯車が回転可能に設置され、前記セクタ歯車の中にはモータ軸が固定的に連結され、前記伝動空間の右側内壁の中にはモータが固定的に設置され、前記モータ軸の右端は前記モータに伝動可能に連結され、前記セクタ歯車の上端には平歯車が噛み合うように連結され、
前記通気穴の上下両側内壁の中には縄溝が対称的に形成され、前記縄溝の中にはガイド輪が回転可能に設置され、前記ガイド輪の中には伝動軸が固定的に連結され、下側の前記伝動軸の右端は前記伝動空間の中に延在し、かつ前記平歯車に固定的に連結され、前記ガイド輪の前側にはリールが回転可能に設置され、前記リールの中には巻き軸が固定的に連結され、前記巻き軸は前記縄溝の左右内壁に回転可能に連結され、両側の前記リールの間にはテンション縄が巻かれ、前記テンション縄の上下両端は前記ガイド輪にガイドされて前記通気穴の中に延在し、かつ摺動板と固定的に連結され、前記摺動板の右端は前記濾過網に当接していることを特徴とする請求項１に記載の携帯型火災現場用環境測定装置。
【請求項８】
前記リールの左右両端と前記縄溝の左右両側内壁との間には縄捻りばねが固定的に連結されていることを特徴とする請求項７に記載の携帯型火災現場用環境測定装置。
【請求項９】
前記通気穴の右側内壁の中には右方に開口するネッキング穴が連通するように設置され、前記ネッキング穴の上下両側内壁の中には連通溝が対称的に、かつ連通するように形成され、前記連通溝の前後内壁の間には捻り軸が回転可能に連結され、前記捻り軸の周面には通気板が固定的に連結され、前記通気板は前記ネッキング穴の中に延びて前記ネッキング穴を封鎖することができ、前記通気板の前後両端と前記連通溝の前後内壁との間には電磁捻りばねが固定的に連結され、前記電磁捻りばねは警報器に通電可能に連結されていることを特徴とする請求項７に記載の携帯型火災現場用環境測定装置。
【発明の詳細な説明】
【技術分野】
【０００１】
本願発明は火災救助分野を取り上げ、特に携帯型火災現場用環境測定装置に関わる。
【背景技術】
【０００２】
様々な災害において、火災は最も頻繁的に公衆安全と社会発展とを脅かす主要災害の一つである。火災時に、人々は素早く避難する必要があり、特に消防隊が現場につくまで、現場にいる人々はある程度自力で自分を救助せねばならない。しかし、火災環境は複雑で、高温と煙とが人々の避難を妨げる。既存する消防器具は携帯に不便で、有効的に人々をサポートして現場から逃げ出させることが難しい。本願に記載の携帯型火災現場用環境測定装置は、上記問題を解決できる。
【先行技術文献】
【特許文献】
【０００３】
【特許文献１】中国特許出願公開第１０８５６４７６０号明細書
【発明の概要】
【発明が解決しようとする課題】
【０００４】
既存する消防器具は大きく、携帯に不便である。
【課題を解決するための手段】
【０００５】
上記の問題を解決するため、本願は携帯型火災現場用環境測定装置を設計し、本願に記載の携帯型火災現場用環境測定装置は、固定板を含み、前記固定板の中には展開装置が設置され、前記展開装置を展開することで前記携帯型火災現場用環境測定装置を人の頭部につけられ、前記展開装置を収縮することで携帯に便利を与え、前記固定板の中には貫通穴が上下貫通するように設置され、前記貫通穴の中には測定箱が摺動可能に設置され、前記測定箱の中には冷却装置が設置され、前記冷却装置は頭部に当接して頭部に冷却を行うことができ、火災現場にいる時に人間の体温は上昇し、体温が高すぎると気絶になりやすく、前記冷却装置で人の意識を保つことができ、前記測定箱の中には下方に開口する開口溝が左右対称に形成され、両側の前記開口溝の開口は対称中心に背向き、前記開口溝の前後内壁の間には連結軸が回転可能に連結され、前記連結軸の周面には固定棒が固定的に連結され、前記固定板の中には対称中心に背向いて開口する引掛溝が左右対称に形成され、前記固定棒は前記引掛溝に伸びて前記測定箱を引っ掛かることができ、前記測定箱と前記固定板との間には圧縮ばねが固定的に連結され、前記固定棒が前記引掛溝から離脱するとき、前記圧縮ばねの弾力によって、前記展開装置を素早く収納することができ、前記測定箱の中には左方に開口する通気穴が設置され、前記通気穴の中には風向測定装置と空気測定装置とが設置され、前記風向測定装置は風向を測定しかつ指示灯を通じて方向指示を行うことができ、人々を素早く出口に誘導することができ、前記空気測定装置は空気中の煙濃度を測定でき、煙濃度が高い場合、警報器を通じて警報を出し、人々に這って進むことと、煙を吸い込むことを避けることとを呼びかけられ、前記測定箱の上端には仕切板が前後対称に、且つ固定的に連結され、前記仕切板の中には対称中心に向いて開口する凹溝が形成され、前記凹溝の開口は上方に向き、前記凹溝の左右内壁の間には固定軸が回転可能に連結され、前記固定軸の周面には回転板が固定的に連結され、前記回転板において対称中心に近接する端面の中には磁石が固定的に設置され、両側の前記磁石が互いに吸引して接触するとき、前記回転板と前記仕切板とを通じて前記携帯型火災現場用環境測定装置をかけることができ、携帯に便利である。
【０００６】
好適な技術プランとして、前記展開装置は四つのラックを含み、四つの前記ラックは前記測定箱の周面の中に環状になるように配列され、前記貫通穴の円周内壁の中には環状になるように配列された四つのベルト空間が連通するように設置され、前記ベルト空間の中には噛合歯車が回転可能に設置され、四つの前記噛合歯車はそれぞれ四つの前記ラックに噛み合い、前記噛合歯車の中には駆動軸が固定的に連結され、前記駆動軸の周面には駆動プーリが固定的に連結され、前記駆動プーリにおいて対称中心から離れた側には伝動プーリが回転可能に設置され、前記伝動プーリと前記駆動プーリとの間には水平ベルトが連結され、前記伝動プーリの中には中間回転軸が固定的に連結され、前記中間回転軸は前記ベルト空間の内壁の間に回転可能に連結され、前記ベルト空間の下側内壁の中には下方に開口する弧状溝が連通するように形成され、前記弧状溝の中には従動プーリが回転可能に設置され、前記従動プーリと前記伝動プーリとの間には縦ベルトが連結され、前記従動プーリの中には従動軸が固定的に連結され、前記従動軸の周面には揺動棒が固定的に連結され、前記揺動棒の右端と前記測定箱の下端との間には弾性布が連結され、前記測定箱を下方へ摺動させることで、前記展開装置を展開することができる。
【０００７】
好適な技術プランとして、前記冷却装置は前記測定箱の中に固定的に設置された揚水ポンプを含み、前記揚水ポンプの左右両端には水管が対称的に、かつ固定的に連結され、前記水管は弾性を有し、前記水管の中には水管通路が上下貫通するように設置され、前記水管通路は前記揚水ポンプに連通するように設置され、前記測定箱の中には下方に開口する摺動空間が設置され、前記摺動空間の中には伝熱板が摺動可能に設置され、前記伝熱板の中には上方に開口する循環通路が設置され、左右両側の前記水管の下端は前記摺動空間の中に延在し、かつ前記伝熱板に固定的に連結され、前記水管通路は前記循環通路に連通するように設置され、前記展開装置を展開したあと、頭部を前記伝熱板に当接させ、頭部の熱量は前記循環通路の中の水に伝導されることができ、前記揚水ポンプを通じて前記循環通路の中の水は循環できる。
【０００８】
好ましくは、前記水管の周面には凝縮管が固定的に連結され、前記揚水ポンプの上側には蓄電池が固定的に設置され、前記蓄電池は前記凝縮管に給電でき、前記凝縮管は前記水管通路の中の水を冷却できる。
【０００９】
好適な技術プランとして、前記風向測定装置は前記通気穴の下側内壁に固定的に設置された保護ブロックを含み、前記保護ブロックの中には下方に開口する歯車空間が設置され、前記歯車空間の中には駆動歯車が回転可能に設置され、前記駆動歯車の中には水平軸が固定的に設置され、前記水平軸の後端は前記通気穴の中に延在し、かつファンと固定的に連結され、風が前記通気穴に正対する状態で前記ファンに吹くとき、前記ファンは駆動されて正回転し、風が前記通気穴に正対しない状態で前記ファンに吹くとき、前記ファンは駆動されて逆回転し、前記駆動歯車の下端には従動歯車が噛み合うように連結され、前記従動歯車の下端には縦軸が固定的に連結され、前記通気穴の下側内壁の中には噛合空間が設置され、前記縦軸の下端は前記噛合空間の中に延在し、かつラチェットと固定的に連結され、前記ラチェットの左端には三つの片方向輪が噛み合うように連結され、前記ラチェットが正回転するとき、中間にある前記片方向輪は駆動されて回転し、前記ラチェットが逆回転するとき、両側にある前記片方向輪は駆動されて回転し、前記片方向輪の中には片方向軸が固定的に連結され、前記片方向軸は前記噛合空間の上下内壁の間に回転可能に連結されている。
【００１０】
好ましくは、前記片方向軸の周面には固定ブロックが左右対称に、かつ固定的に連結され、前記噛合空間の左側内壁には三つの速度測定センサが固定的に連結され、前記速度測定センサはそれぞれ二つの前記固定ブロックの間の回転時間差を測定でき、そこから前記片方向軸の回転速度がわかるようになり、前記測定箱の左端には三つの指示灯が固定的に連結され、前記指示灯はそれぞれ前記速度測定センサに通電可能に連結され、前記速度測定センサが対応する前記片方向軸の回転を感知したとき、対応する前記指示灯はつけられ、前記片方向軸の回転速度が速ければ速いほど、前記指示灯は明度が増していく。
【００１１】
好適な技術プランとして、前記空気測定装置は前記通気穴の内壁の間に固定的に連結された濾過網を含み、空気は前記濾過網から通過でき、煙や埃などは前記濾過網の左端面につき、前記通気穴の下側内壁の中には伝動空間が設置され、前記伝動空間の中にはセクタ歯車が回転可能に設置され、前記セクタ歯車の中にはモータ軸が固定的に連結され、前記伝動空間の右側内壁の中にはモータが固定的に設置され、前記モータ軸の右端は前記モータに伝動可能に連結され、前記セクタ歯車の上端には平歯車が噛み合うように連結され、前記通気穴の上下両側内壁の中には縄溝が対称的に形成され、前記縄溝の中にはガイド輪が回転可能に設置され、前記ガイド輪の中には伝動軸が固定的に連結され、下側の前記伝動軸の右端は前記伝動空間の中に延在し、かつ前記平歯車に固定的に連結され、前記ガイド輪の前側にはリールが回転可能に設置され、前記リールの中には巻き軸が固定的に連結され、前記巻き軸は前記縄溝の左右内壁に回転可能に連結され、両側の前記リールの間にはテンション縄が巻かれ、前記テンション縄の上下両端は前記ガイド輪にガイドされて前記通気穴の中に延在し、かつ摺動板と固定的に連結され、前記摺動板の右端は前記濾過網に当接している。
【００１２】
好ましくは、前記リールの左右両端と前記縄溝の左右両側内壁との間には縄捻りばねが固定的に連結され、前記テンション縄は始終引っ張られる状態にある。
【００１３】
好ましくは、前記通気穴の右側内壁の中には右方に開口するネッキング穴が連通するように設置され、前記ネッキング穴の上下両側内壁の中には連通溝が対称的に、かつ連通するように形成され、前記連通溝の前後内壁の間には捻り軸が回転可能に連結され、前記捻り軸の周面には通気板が固定的に連結され、前記通気板は前記ネッキング穴の中に延びて前記ネッキング穴を封鎖することができ、前記通気板の前後両端と前記連通溝の前後内壁との間には電磁捻りばねが固定的に連結され、前記電磁捻りばねは警報器に通電可能に連結されている。
【発明の効果】
【００１４】
本願発明は以下のプラス効果を有する：本願発明は小さく、携帯に便利で、使用時には素早く頭部につけられ、火災現場の風向きを観測でき、人々を素早く出口まで誘導することができ、さらに空気中の煙濃度を観測でき、警報器で人々に這って進むことと、煙を吸い込むことを避けることとを呼びかけられる。
【図面の簡単な説明】
【００１５】
下記に図１〜１０を合わせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１６】
【図１】図１は本願発明の全体構成略図
【図２】図２は図１におけるＡの拡大略図
【図３】図３は図１におけるＢの拡大略図
【図４】図４は図１におけるＣの拡大略図
【図５】図５は図１におけるＤの拡大略図
【図６】図６は図２におけるＥ―Ｅ方向からの構成略図
【図７】図７は図３におけるＦ―Ｆ方向からの構成略図
【図８】図８は図３におけるＧ―Ｇ方向からの構成略図
【図９】図９は図４におけるＨ―Ｈ方向からの構成略図
【図１０】図１０は図８におけるＩ―Ｉ方向からの構成略図
【発明を実施するための形態】
【００１７】
本願は携帯型火災現場用環境測定装置を取り上げ、主に火災現場における人々の自我救助に応用され、以下に図面を合わせて、本願発明についてさらなる説明を行う。
【００１８】
本願に記載の携帯型火災現場用環境測定装置は、固定板１２を含み、前記固定板１２の中には展開装置１００が設置され、前記展開装置１００を展開することで前記携帯型火災現場用環境測定装置を人の頭部につけられ、前記展開装置１００を収縮することで携帯に便利を与え、前記固定板１２の中には貫通穴５９が上下貫通するように設置され、前記貫通穴５９の中には測定箱１１が摺動可能に設置され、前記測定箱１１の中には冷却装置１０３が設置され、前記冷却装置１０３は頭部に当接して頭部に冷却を行うことができ、火災現場にいる時に人間の体温は上昇し、体温が高すぎると気絶になりやすく、前記冷却装置１０３で人の意識を保つことができ、前記測定箱１１の中には下方に開口する開口溝２７が左右対称に形成され、両側の前記開口溝２７の開口は対称中心に背向き、前記開口溝２７の前後内壁の間には連結軸２６が回転可能に連結され、前記連結軸２６の周面には固定棒２５が固定的に連結され、前記固定板１２の中には対称中心に背向いて開口する引掛溝７５が左右対称に形成され、前記固定棒２５は前記引掛溝７５に伸びて前記測定箱１１を引っ掛かることができ、前記測定箱１１と前記固定板１２との間には圧縮ばね６１が固定的に連結され、前記固定棒２５が前記引掛溝７５から離脱するとき、前記圧縮ばね６１の弾力によって、前記展開装置１００を素早く収納することができ、前記測定箱１１の中には左方に開口する通気穴３８が設置され、前記通気穴３８の中には風向測定装置１０１と空気測定装置１０２とが設置され、前記風向測定装置１０１は風向を測定しかつ指示灯２８を通じて方向指示を行うことができ、人々を素早く出口に誘導することができ、前記空気測定装置１０２は空気中の煙濃度を測定でき、煙濃度が高い場合、警報器７７を通じて警報を出し、人々に這って進むことと、煙を吸い込むことを避けることとを呼びかけられ、前記測定箱１１の上端には仕切板１７が前後対称に、且つ固定的に連結され、前記仕切板１７の中には対称中心に向いて開口する凹溝１５が形成され、前記凹溝１５の開口は上方に向き、前記凹溝１５の左右内壁の間には固定軸１６が回転可能に連結され、前記固定軸１６の周面には回転板１４が固定的に連結され、前記回転板１４において対称中心に近接する端面の中には磁石７６が固定的に設置され、両側の前記磁石７６が互いに吸引して接触するとき、前記回転板１４と前記仕切板１７とを通じて前記携帯型火災現場用環境測定装置をかけることができ、携帯に便利である。
【００１９】
実施例に基づき、以下に展開装置１００についてさらなる説明を行い、
前記展開装置１００は四つのラック６０を含み、四つの前記ラック６０は前記測定箱１１の周面の中に環状になるように配列され、前記貫通穴５９の円周内壁の中には環状になるように配列された四つのベルト空間７４が連通するように設置され、前記ベルト空間７４の中には噛合歯車５８が回転可能に設置され、四つの前記噛合歯車５８はそれぞれ四つの前記ラック６０に噛み合い、前記噛合歯車５８の中には駆動軸５７が固定的に連結され、前記駆動軸５７の周面には駆動プーリ５６が固定的に連結され、前記駆動プーリ５６において対称中心から離れた側には伝動プーリ５３が回転可能に設置され、前記伝動プーリ５３と前記駆動プーリ５６との間には水平ベルト５５が連結され、前記伝動プーリ５３の中には中間回転軸５４が固定的に連結され、前記中間回転軸５４は前記ベルト空間７４の内壁の間に回転可能に連結され、前記ベルト空間７４の下側内壁の中には下方に開口する弧状溝７３が連通するように形成され、前記弧状溝７３の中には従動プーリ７１が回転可能に設置され、前記従動プーリ７１と前記伝動プーリ５３との間には縦ベルト７０が連結され、前記従動プーリ７１の中には従動軸７２が固定的に連結され、前記従動軸７２の周面には揺動棒６９が固定的に連結され、前記揺動棒６９の右端と前記測定箱１１の下端との間には弾性布６８が連結され、前記測定箱１１を下方へ摺動させることで、前記展開装置１００を展開することができる。
【００２０】
実施例に基づき、以下に冷却装置１０３についてさらなる説明を行い、
前記冷却装置１０３は前記測定箱１１の中に固定的に設置された揚水ポンプ１３を含み、前記揚水ポンプ１３の左右両端には水管６３が対称的に、かつ固定的に連結され、前記水管６３は弾性を有し、前記水管６３の中には水管通路６２が上下貫通するように設置され、前記水管通路６２は前記揚水ポンプ１３に連通するように設置され、前記測定箱１１の中には下方に開口する摺動空間６５が設置され、前記摺動空間６５の中には伝熱板６６が摺動可能に設置され、前記伝熱板６６の中には上方に開口する循環通路６７が設置され、左右両側の前記水管６３の下端は前記摺動空間６５の中に延在し、かつ前記伝熱板６６に固定的に連結され、前記水管通路６２は前記循環通路６７に連通するように設置され、前記展開装置１００を展開したあと、頭部を前記伝熱板６６に当接させ、頭部の熱量は前記循環通路６７の中の水に伝導されることができ、前記揚水ポンプ１３を通じて前記循環通路６７の中の水は循環できる。  
【００２１】
好ましくは、前記水管６３の周面には凝縮管６４が固定的に連結され、前記揚水ポンプ１３の上側には蓄電池７８が固定的に設置され、前記蓄電池７８は前記凝縮管６４に給電でき、前記凝縮管６４は前記水管通路６２の中の水を冷却できる。
【００２２】
実施例に基づき、以下に風向測定装置１０１についてさらなる説明を行い、
前記風向測定装置１０１は前記通気穴３８の下側内壁に固定的に設置された保護ブロック３２を含み、前記保護ブロック３２の中には下方に開口する歯車空間１８が設置され、前記歯車空間１８の中には駆動歯車３６が回転可能に設置され、前記駆動歯車３６の中には水平軸３５が固定的に設置され、前記水平軸３５の後端は前記通気穴３８の中に延在し、かつファン３６と固定的に連結され、風が前記通気穴３８に正対する状態で前記ファン３７に吹くとき、前記ファン３７は駆動されて正回転し、風が前記通気穴３８に正対しない状態で前記ファン３７に吹くとき、前記ファン３７は駆動されて逆回転し、前記駆動歯車３６の下端には従動歯車３４が噛み合うように連結され、前記従動歯車３４の下端には縦軸３３が固定的に連結され、前記通気穴３８の下側内壁の中には噛合空間２２が設置され、前記縦軸３３の下端は前記噛合空間２２の中に延在し、かつラチェット２３と固定的に連結され、前記ラチェット２３の左端には三つの片方向輪３１が噛み合うように連結され、前記ラチェット２３が正回転するとき、中間にある前記片方向輪３１は駆動されて回転し、前記ラチェット２３が逆回転するとき、両側にある前記片方向輪３１は駆動されて回転し、前記片方向輪３１の中には片方向軸２４が固定的に連結され、前記片方向軸２４は前記噛合空間２２の上下内壁の間に回転可能に連結されている。
【００２３】
好ましくは、前記片方向軸２４の周面には固定ブロック３０が左右対称に、かつ固定的に連結され、前記噛合空間２２の左側内壁には三つの速度測定センサ２９が固定的に連結され、前記速度測定センサ２９はそれぞれ二つの前記固定ブロック３０の間の回転時間差を測定でき、そこから前記片方向軸２４の回転速度がわかるようになり、前記測定箱１１の左端には三つの指示灯２８が固定的に連結され、前記指示灯２８はそれぞれ前記速度測定センサ２９に通電可能に連結され、前記速度測定センサ２９が対応する前記片方向軸２４の回転を感知したとき、対応する前記指示灯２８はつけられ、前記片方向軸２４の回転速度が速ければ速いほど、前記指示灯２８は明度が増していく。
【００２４】
実施例に基づき、以下に空気測定装置１０２についてさらなる説明を行い、
前記空気測定装置１０２は前記通気穴３８の内壁の間に固定的に連結された濾過網４０を含み、空気は前記濾過網４０から通過でき、煙や埃などは前記濾過網４０の左端面につき、前記通気穴３８の下側内壁の中には伝動空間４２が設置され、前記伝動空間４２の中にはセクタ歯車４７が回転可能に設置され、前記セクタ歯車４７の中にはモータ軸４５が固定的に連結され、前記伝動空間４２の右側内壁の中にはモータ４６が固定的に設置され、前記モータ軸４５の右端は前記モータ４６に伝動可能に連結され、前記セクタ歯車４７の上端には平歯車４４が噛み合うように連結され、前記通気穴３８の上下両側内壁の中には縄溝４１が対称的に形成され、前記縄溝４１の中にはガイド輪４８が回転可能に設置され、前記ガイド輪４８の中には伝動軸４３が固定的に連結され、下側の前記伝動軸４３の右端は前記伝動空間４２の中に延在し、かつ前記平歯車４４に固定的に連結され、前記ガイド輪４８の前側にはリール８０が回転可能に設置され、前記リール８０の中には巻き軸８１が固定的に連結され、前記巻き軸８１は前記縄溝４１の左右内壁に回転可能に連結され、両側の前記リール８０の間にはテンション縄２０が巻かれ、前記テンション縄２０の上下両端は前記ガイド輪４８にガイドされて前記通気穴３８の中に延在し、かつ摺動板３９と固定的に連結され、前記摺動板３９の右端は前記濾過網４０に当接している。
【００２５】
好ましくは、前記リール８０の左右両端と前記縄溝４１の左右両側内壁との間には縄捻りばね８３が固定的に連結され、前記テンション縄２０は始終引っ張られる状態にある。
【００２６】
好ましくは、前記通気穴３８の右側内壁の中には右方に開口するネッキング穴４９が連通するように設置され、前記ネッキング穴４９の上下両側内壁の中には連通溝５０が対称的に、かつ連通するように形成され、前記連通溝５０の前後内壁の間には捻り軸５１が回転可能に連結され、前記捻り軸５１の周面には通気板５２が固定的に連結され、前記通気板５２は前記ネッキング穴４９の中に延びて前記ネッキング穴４９を封鎖することができ、
前記通気板５２の前後両端と前記連通溝５０の前後内壁との間には電磁捻りばね８２が固定的に連結され、前記電磁捻りばね８２は警報器７７に通電可能に連結されている。
【００２７】
以下に図１〜図１０を合わせ、本願発明の使用手順について詳しく説明する。
【００２８】
はじめに、測定箱１１は上限位置にあり、揺動棒６９は縦状態にあり、摺動板３９は上限位置にある。
【００２９】
使用時に、手動で測定箱１１を下方へ摺動させて圧縮ばね６１を圧縮し、固定棒２５を回転させて引掛溝７５の中に入らせ、圧縮ばね６１の弾力によって固定板１２は固定棒２５に引っかかり、手放した後に測定箱１１の上昇を避け、測定箱１１が下方へ摺動するときに、ラック６０を通じて貫通穴５９を連動させて回転させ、そして駆動軸５７を通じて駆動プーリ５６は駆動されて回転し、さらに水平ベルト５５を通じて伝動プーリ５３は駆動されて回転し、さらに縦ベルト７０を通じて従動プーリ７１は駆動されて回転し、さらに揺動棒６９は駆動されて測定箱１１から離れて揺動し、ラック６０と噛合歯車５８とが噛合状態から離脱しようとするとき、固定板１２は丁度固定棒２５に引っかかり、このとき、揺動棒６９は最大限に展開しかつ弾性布６８を引っ張り、このとき、頭部は揺動棒６９の間に入って伝熱板６６に当接でき、揚水ポンプ１３を作動させ、そして循環通路６７と水管通路６２とに水を循環させ、この時、蓄電池７８を通じて凝縮管６４に給電し、凝縮管６４は水管通路６２の中の水を冷やし、そして伝熱板６６を通じて頭部と熱交換を行い、かつ頭部に刺激を与え、高温による意識朦朧ないし気絶を避け、同時に風は通気穴３８から入ってファン３７を駆動でき、保護ブロック３２は水平軸３５と駆動歯車３６との損害を避け、風が通気穴３８に正対するとき、ファン３７は駆動されて正回転し、そして水平軸３５を通じて駆動歯車３６を駆動して回転させ、さらに従動歯車３４は駆動されて回転し、さらに縦軸３３を通じてラチェット２３を駆動して正回転させ、さらに中間にある片方向輪３１は駆動されて回転し、この時、中間にある速度測定センサ２９は中間にある片方向軸２４の回転を感知し、中間にある指示灯２８をつけることで、避難方向を誘導し、風が通気穴３８に正対しないとき、ファン３７は逆回転し、そしてラチェット２３は駆動されて逆回転し、さらに両側にある片方向輪３１は駆動されて回転し、そして両側にある速度測定センサ２９を通じて両側にある指示灯２８はつけられ、指示灯２８が明るければ明るいほど、風の速度が速いということを意味し、このとき、人々は風向を確認できるまで避難方向を調整する必要があり、人々が室内火災現場にいるとき、風向に沿って素早く出口に移動すべき、野外火災現場にいるとき、風向に逆らって火災現場から離脱すべきである。
【００３０】
火災現場の空気中に大量の煙と埃が生じ、風は通気穴３８から濾過網４０を通過し、そしてネッキング穴４９を通過して通気穴３８の外に排出され、風は通気板５２を吹き動かしかつ電磁捻りばね８２を捻り、風力が強ければ強いほど、通気板５２が揺れ動く幅が大きく、電磁捻りばね８２が受けた捻りは強く、煙などは濾過網４０の左端面につき、かつ濾過網４０のメッシュ孔を封鎖し、煙濃度が高ければ高いほど、濾過網４０を通過する風は弱く、通気板５２が押し動かされる角度も小さく、電磁捻りばね８２が受けた捻りも小さく、このとき、警報器７７は警報を出し、人々に這って進んで煙を吸い込まないように呼びかける。
【００３１】
モータ４６を作動させ、モータ軸４５を通じてセクタ歯車４７は駆動されて回転し、そして平歯車４４は駆動されて周期的に回転し、さらに伝動軸４３を通じてリール８０は駆動されて回転し、かつ縄捻りばね８３を捻り、そしてテンション縄２０を巻き、テンション縄２０は始終引っ張られる状態にあるため、摺動板３９は駆動されて下方へ摺動し、かつ濾過網４０の左端面についた煙などを取り、セクタ歯車４７と平歯車４４とが噛み合わないとき、縄捻りばね８３の弾力によってリール８０は駆動されて逆回転し、そして摺動板３９は駆動されて上昇して復位する。
【００３２】
仕切板１７と回転板１４とを通じて前記携帯型火災現場用環境測定装置をかけることができ、携帯に便利を与え、両側の磁石７６は互いを吸引し、前記携帯型火災現場用環境測定装置がかけられたときに落下することを避ける。
【００３３】
本願発明は以下のプラス効果を有する：本願発明は小さく、携帯に便利で、使用時には素早く頭部につけられ、火災現場の風向きを観測でき、人々を素早く出口まで誘導することができ、さらに空気中の煙濃度を観測でき、警報器で人々に這って進むことと、煙を吸い込むことを避けることとを呼びかけられる。
【００３４】
以上の方式により、当該分野の従業員は本願発明の範囲内に作業状況に応じて様々な改変を加えることができる。
【図１】
0006808121.tif 000002
【図２】
0006808121.tif 000003
【図３】
0006808121.tif 000004
【図４】
0006808121.tif 000005
【図５】
0006808121.tif 000006
【図６】
0006808121.tif 000007
【図７】
0006808121.tif 000008
【図８】
0006808121.tif 000009
【図９】
0006808121.tif 000010
【図１０】
0006808121.tif 000011